(57)【要約】【課題】温水洗浄便座装置の便座又は便蓋の負荷トルク特性に合わせて、便座又は便蓋を開放側へ附勢するねじりばねや開閉状態に対応した位置情報を出力する位置検出手段を含む自動開閉装置やダンパー装置を開発しており、多大な開発コストが発生し、製作に時間を要し、且つ、装置が大きくなっていた。【解決手段】便座又は便蓋を開放側へ附勢するねじりばねと開閉状態に対応した位置情報を出力する位置検出手段を設けたヒンジ装置を自動開閉装置又はダンパー装置とは別体とする。【選択図】図２
2005000277.tif 000002
【特許請求の範囲】
【請求項１】
便器後側に設けられた機能部のケーシング内に固定した自動開閉装置及び／又はダンパー装置の出力軸に一端を締結し、他端を便座又は便蓋に締結した回転軸と、前記便座又は便蓋を開放側へ附勢するねじりばねと、前記捩じりばねを収納する収納筒と、開閉状態に対応した位置情報を出力する位置検出手段とから成ることを特徴とする便座又は便蓋のヒンジ装置。
【請求項２】
請求項１記載の便座又は便蓋のヒンジ装置において、開閉状態に対応した位置情報を出力する位置検出手段として、前記回転軸に磁性体を配置し、その対向側に磁束検出手段を設けたことを特徴とする便座又は便蓋のヒンジ装置。
【請求項３】
請求項１記載の便座又は便蓋のヒンジ装置において、開閉状態に対応した位置情報を出力する位置検出手段として、前記回転軸廻りに発光素子、受光素子及び遮光板を設けたことを特徴とする便座又は便蓋のヒンジ装置。
【請求項４】
請求項１記載の便座又は便蓋のヒンジ装置において、開閉状態に対応した位置情報を出力する位置検出手段として、前記回転軸廻りにポテンショメーターを設けたことを特徴とする便座又は便蓋のヒンジ装置。
【発明の詳細な説明】
【０００１】
【発明の属する技術分野】
本発明は洋式便器における便座又は便蓋のヒンジ装置に関し、詳しくは便座、便蓋を個々に開閉する装置に関するものである。
【０００２】
【従来の技術】
この種の装置に関しては、自動開閉装置内に便座又は便蓋を開放側へ附勢するねじりばねが設けられ、自動開閉装置は温水洗浄便座装置のケーシング内に固定されている（例えば、特許文献１参照）。同様に、ダンパー装置内に便座又は便蓋を開放側へ附勢するねじりばねが設けられ、ダンパー装置は温水洗浄便座装置のケーシング内に固定されている（例えば、特許文献２参照）。したがって、便座又は便蓋を軽く開けられ、開状態を確実にし、不本意に閉じることはない。
【０００３】
【特許文献１】
特開平１−２７０８３１号公報
【特許文献２】
特開平５−２９３０５７号公報
【０００４】
【発明が解決しようとする課題】
しかしながら、実際の商品開発においては、種々の市場ニーズに対する商品の品揃えに効率的に対応するために、例えば一つの基本仕様を基にして客先に応じた種々のバリエーションを持った類似商品群を開発していくことが多い。したがって、温水洗浄便座装置の自動開閉装置やダンパー装置においても、種々の商品バリエーションにおける便座又は便蓋の負荷トルク特性に合わせて、その各々に対応した自動開閉装置やダンパー装置を開発することが要求されている。そのため、自動開閉装置では、例えば、駆動モータのトルクを上げたり、自動開閉装置のギアの減速比を変更したり、ねじりばねの仕様を変更したりして種々のバリエーションに合わせた自動開閉装置を開発していた。また、ダンパー装置では、例えば、ダンパー室の容積を大きくしたり、ねじりばねの仕様を変更したりして種々のバリエーションに合わせたダンパー装置を開発していた。したがって、多大なコストが発生し、且つ、製作に時間を要していた。また、バリエーションが増えることにより、製造時の組み立てコストや管理コストが高くなっていた。
また、上記のものは自動開閉装置又はダンパー装置内に便座又は便蓋を開放側へ附勢するねじりばねや開閉状態に対応した位置情報を出力する位置検出手段が設けられているため、自動開閉装置又はダンパー装置は、ねじりばね取付けスペースや位置検出手段取付けスペース分大きくなり、装置が大きくなっていた。
【０００５】
【課題を解決するための手段及び作用、効果】
本発明は、上記課題を解決するためになされたもので、便座又は便蓋を開放側へ附勢するねじりばねと開閉状態に対応した位置情報を出力する位置検出手段を設けたヒンジ装置を自動開閉装置又はダンパー装置とは別体とすることにより、種々の商品バリエーションにおける便座又は便蓋の負荷トルク特性や便座又は便蓋の開閉状態に対応した温水洗浄便座装置の制御や自動開閉装置の回転角度や回転速度等の制御に合わせて、ヒンジ装置のみ変更すれば対応可能となるものである。したがって、自動開閉装置又はダンパー装置の共通化を図ることができる。
【０００６】
請求項１の発明においては、回転軸と、収納筒と、前記便座又は便蓋を開放側へ附勢するねじりばねとから成り、前記回転軸の一端を便座又は便蓋に締結し、前記回転軸の他端を自動開閉装置及び／又はダンパー装置の出力軸に締結し、開閉状態に対応した位置情報を出力する位置検出手段を設けたので、便座又は便蓋を開放側へ附勢するねじりばねを設けたヒンジ装置を自動開閉装置又はダンパー装置とは別体とすることでき、種々の商品バリエーションにおける便座又は便蓋の負荷トルク特性に合わせて、ヒンジ装置のみ変更すれば対応可能となるものである。したがって、自動開閉装置又はダンパー装置の共通化を図ることが可能となる。さらには、便座又は便蓋の開閉状態に対応した温水洗浄便座装置の制御が可能となる。
【０００７】
請求項２の発明においては、請求項１記載の発明に加え、開閉状態に対応した位置情報を出力する位置検出手段として、前記回転軸に磁性体を配置し、その対向側に磁性体検出手段を設けたので、非接触な状態で便座又は便蓋の開閉状態を検出できるため位置検出手段の信頼性が向上する。
【０００８】
請求項３の発明においては、請求項１記載の発明に加え、開閉状態に対応した位置情報を出力する位置検出手段として、前記回転軸廻りに発光素子、受光素子及び遮光板を設けたので、非接触な状態で便座又は便蓋の開閉状態を検出できるため位置検出手段の信頼性が向上する。
【０００９】
請求項４の発明においては、請求項１記載の発明に加え、開閉状態に対応した位置情報を出力する位置検出手段として、前記回転軸廻りにポテンショメーターを設けたので、便座又は便蓋の開閉状態の絶対位置が検出でき、自動開閉装置の回転角度や回転速度等の制御が容易となる。
【００１０】
【発明の実施の形態】
以下図面を参照して実施例について説明する。
図１は本発明の温水洗浄便座装置の斜視図である。図１において、便器本体（図示せず）の背部側のリムの上面を利用して温水洗浄便座装置１のケーシング２を固定し、このケーシング２には便座３及び便蓋４を夫々開閉自在に取付けている。
便座３の基端部にヒンジ装置挿入部３ａ、３ｂを設けている。
ヒンジ装置挿入部３ａには、便座３を開放側へ附勢する座用ヒンジ装置５が挿入される。また、ヒンジ装置挿入部３ｂには、便蓋４を開放側へ附勢する蓋用ヒンジ装置６が挿入される。ただし、この蓋用ヒンジ装置６は、便座３に対しては回転可能で、便蓋４に対して回転不能とされている。
【００１１】
図２は本発明のヒンジ装置を搭載した温水洗浄便座装置１の便蓋４取付を説明するための断面図である。自動開閉装置５はケーシング２に固定されている。
なお、説明の都合上、以下には図上右側の便蓋４と蓋用ヒンジ装置６、ケーシング２との連結関係について説明するが、左側の便座３と座用ヒンジ装置５、ケーシング２との連結関係も同様の構成である。（便座の場合には、以下に説明する便蓋の構成要素と便座の構成要素とを入れ替える。）
自動開閉装置７はモータ７ａのトルクを減速機７ｂによって出力軸７ｃに伝達し、ピン８を介してヒンジ装置６に伝達する。
ヒンジ装置６は回転軸９、ねじりばね１０、収納筒１１、磁性体１２、ホール素子１３から成る。収納筒１１は自動開閉装置７に嵌合し回転不能となっている。ねじりばね１０の一端１０ａは収納筒１１のばね受け部１１ａに嵌合し、もう一端１０ｂは回転軸９のばね受け部９ｃに嵌合し、便蓋４の開放側に回転軸９の回転量に比例したトルクを与えることにより便蓋の自立を補助する。
回転軸９はピン８との嵌合部９ａ、軸受部９ｂ、ばね受け部９ｃ、出力部９ｄから成り、嵌合部９ａで受けたトルクを出力部９ｄに嵌合した便蓋４に伝達すると共に収納筒１１に収納したねじりばね１０と嵌合したばね受け部９ｃから便蓋４にトルクを伝達する。
回転軸９に取付けた磁性体１２と、磁性体１２と対向して収納筒１１に固定したホール素子１３により、便蓋４の位置を検出する。
【００１２】
図３は図２における自動開閉装置７をダンパー装置１４に変更した断面図で、ヒンジ装置６の働きは同様である。
【００１３】
図４はヒンジ装置６に取付ける磁性体１２とホール素子１３の配置の一例を示しており、回転軸９の回転に合せて磁性体１２が回転し、ホール素子１３ａ、１３ｂが磁極１２ａと磁極１２ｂの違いにより出力する電圧が異なる事により、便蓋４の開閉状態を検出する。磁性体１２の磁極、ホール素子１３の個数と配置の組み合わせによって便蓋４の検出する角度を設定する。
【００１４】
図５は位置検出手段に発光素子１５、受光素子１６及び遮光板１７を用いたヒンジ装置の一例を示しており、回転軸９の回転に合せて回転軸９に固定した遮光板１７が回転し、収納筒１１に固定した発光素子１５と受光素子１６の間を通過して光を遮る事により、便蓋４の開閉状態を検出する。
【００１５】
図６は発光素子１５、受光素子１６及び遮光板１７の配置及び形状の一例を示しており、遮光板１７の遮光部１７ａと通光部１７ｂの違いにより受光素子１６が出力する電圧が異なる事により、便蓋４の開閉状態を検出する。遮光板１７の形状及び発光素子１５、受光素子１６の個数及び配置の組み合わせによって便蓋４の検出する角度を設定する。
【００１６】
図７は位置検出手段にポテンショメーターを用いたヒンジ装置の一例を示しており、回転軸９に固定した電気を通しやすい材料で作成したブラシ１８が、収納筒１１に固定した抵抗体１９及び信号出力体２０に接触し、抵抗体１９の両端にかけた電圧に対して回転軸９の回転量に比例した分圧を出力する構造である。ブラシ１８及び抵抗体１９の配置と分圧の関係を設定する事により、便蓋４の開閉状態を検出する事が出来る。
【図面の簡単な説明】
【図１】本発明の便座又は便蓋のヒンジ装置を搭載する温水洗浄便座装置の斜視図である。
【図２】本発明の便座又は便蓋のヒンジ装置と自動開閉装置の嵌合状態を説明する断面図である。
【図３】本発明の便座又は便蓋のヒンジ装置とダンパー装置の嵌合状態を説明する断面図である。
【図４】本発明の便座又は便蓋のヒンジ装置に磁性体とホール素子を配置した一例を説明する断面図である。
【図５】本発明の便座又は便蓋のヒンジ装置に発光素子と受光素子、遮光板を配置した一例を説明する断面図である。
【図６】本発明の便座又は便蓋のヒンジ装置に発光素子と受光素子の配置、遮光板の形状の一例を説明する断面図である。
【図７】本発明の便座又は便蓋のヒンジ装置にポテンショメータを配置した一例を説明する断面図である。
【図８】本発明の便座又は便蓋のヒンジ装置に配置するポテンショメータの構造の一例を説明する断面図である。
【符号の説明】
１        温水洗浄便座装置
２        ケーシング
３        便座
４        便蓋
５        座用ヒンジ装置
６        蓋用ヒンジ装置
７        自動開閉装置
８        ピン
９        回転軸
１０        ねじりばね
１１        収納筒
１２        磁性体
１３        ホール素子
１４        ダンパー装置
１５        発光素子
１６        受光素子
１７        遮光板
１８        ブラシ
１９        抵抗体
２０        信号出力体
【図１】
2005000277.tif 000003
【図２】
2005000277.tif 000004
【図３】
2005000277.tif 000005
【図４】
2005000277.tif 000006
【図５】
2005000277.tif 000007
【図６】
2005000277.tif 000008
【図７】
2005000277.tif 000009
【図８】
2005000277.tif 000010